(57)【要約】【課題】  接地型のアンテナを用いた場合でも、カメラの剛性や品位を犠牲にすることなく良好な通信性能を確保する。【解決手段】  金属カバー１内に、無線通信回路１１および接地型のアンテナ１２が実装された無線通信基板５を配置し、金属カバー１を介してアンテナの接地を図ったカメラにおいて、金属カバー１の所定面（Ｘ面）にはアンテナ突出用の開口ＯＰが形成され、無線通信基板５の一端側に設けたアンテナ１２が開口ＯＰから外方に突出するように、無線通信基板５を所定面（Ｘ面）に対して傾斜して配置する。上記開口ＯＰを例えば樹脂製のカバー１４で覆うことで、アンテナ１２を視覚的に隠蔽する。【選択図】        図１
2007060237.tif 000002
【特許請求の範囲】
【請求項１】
金属カバー内に、無線通信回路および接地型のアンテナが実装された無線通信基板を配置し、前記金属カバーを介してアンテナの接地を図ったカメラにおいて、
前記金属カバーの所定面にはアンテナ突出用の開口が形成され、前記無線通信基板の一端側に設けた前記アンテナが前記開口から外方に突出するように、前記無線通信基板を前記所定面に対して傾斜して配置したことを特徴とする無線通信機能を有するカメラ。
【請求項２】
前記無線通信回路を制御する制御回路が実装されたメイン基板を更に備え、該メイン基板と前記無線通信基板とを電気的に接続するコネクタは、撮影レンズ鏡筒と前記金属カバーの角部との間のスペースに設けられていることを特徴とする請求項１に記載の無線通信機能を有するカメラ。
【請求項３】
前記開口を非金属製のカバーで覆うことで前記アンテナを視覚的に隠蔽したことを特徴とする請求項１または２に記載の無線通信機能を有するカメラ。
【発明の詳細な説明】
【技術分野】
【０００１】
本発明は、無線通信機能を有するカメラに関し、通信用アンテナの配置を工夫したものである。
【背景技術】
【０００２】
特許文献１には、銀塩カメラにパトローネ型撮像装置を装着することにより電子カメラとして使用可能なものが記載されている。パトローネ型撮像装置は無線通信機能を有し、これをカメラに装着すると、アンテナ部分がフイルム確認窓から視認可能となり、同時に確認窓（非金属部分）を介して電波の送受信が行える。
【０００３】
【特許文献１】特開2003-234932号公報
【発明の開示】
【発明が解決しようとする課題】
【０００４】
しかしながら、接地型のアンテナを用い、金属製のカメラボディを介して接地を図る場合には、アンテナが接地面である金属ボディよりも外方に突出していないと通信性能が悪化する。このため特許文献１の構造では、接地型のアンテナを使用した場合には、上記確認窓を設けた面全体的を非金属（例えば、樹脂）で構成しなければならず、剛性や品位を犠牲にせざるを得ない。
【課題を解決するための手段】
【０００５】
本発明は、金属カバー内に、無線通信回路および接地型のアンテナが実装された無線通信基板を配置し、金属カバーを介してアンテナの接地を図ったカメラに適用される。金属カバーの所定面にはアンテナ突出用の開口が形成され、無線通信基板の一端側に設けたアンテナが開口から外方に突出するように、無線通信基板を所定面に対して傾斜して配置する。
請求項２の発明は、無線通信回路を制御する制御回路が実装されたメイン基板を更に備え、メイン基板と無線通信基板とを電気的に接続するコネクタは、撮影レンズ鏡筒と金属カバーの角部との間のスペースに設けられる。
請求項３の発明では、開口を非金属製のカバーで覆うことでアンテナを視覚的に隠蔽する。
【発明の効果】
【０００６】
本発明によれば、無線通信基板の一端側に設けたアンテナが金属カバーの所定面に設けた開口から外方に突出するように、無線通信基板を所定面に対して傾斜して配置したので、接地型のアンテナであっても満足な通信性能を維持でき、非金属部分を極力少なくできる。またフレキシブルプリント基板などの高価な基板を用いる必要がないので、コストダウンが図れる。
【発明を実施するための最良の形態】
【０００７】
本発明の一実施の形態を説明する。
図１，図２は本実施形態における電子カメラをそれぞれ正面、上面から見た断面図である。カメラの筐体は、例えばアルミ等の金属製の前カバー１Ａおよび後カバー１Ｂ（以下、総称して金属カバー１と呼ぶ）から構成される。筐体を金属カバー１で構成することにより、樹脂カバーと比べてカメラの剛性が高まるとともに、高級感を出すことができる。金属カバー１の上面には、レリーズボタンＲＢとモードダイアルＭＤが設けられる。また金属カバー１の上面と右側面との角部には、アンテナ露出用の開口ＯＰが形成されている。
【０００８】
金属カバー１内には、撮影レンズ鏡筒２、液晶モニタ３、メイン基板４、無線通信基板５、メモリカードスロット６、電源電池７、閃光装置発光部８、ファインダ装置９などが配置される。メイン基板４は、カメラ動作を実現するための種々の電気部品を実装し、その実装面がカメラ前後方向を向くように背面近傍に配置される。
【０００９】
無線通信基板５は硬質の平面基板であり、鏡筒２と金属カバー１の右側面と間において、その実装面がカメラ左右方向を向くように配置される。その実装面には、無線通信回路を構成する電気部品１１が実装されるとともに、図示上端には接地型のアンテナ１２が実装されている。アンテナ１２は、無線通信基板５に設けた接地部および金属カバー１を介して接地される。また基板５上の無線通信回路は、コネクタ１３を介してメイン基板４上の制御回路と電気的に接続される。この構成により、撮像した画像データ等を電波に変え、アンテナから外部に送信することができる。
【００１０】
ここで、一般にアンテナ１２は機器の角部に配置することで良好な通信性能が期待できるとされる。本実施形態では、無線通信基板５を図示の位置に配置することで、アンテナ１２をカメラ側面と上面の角部に位置させることができる。またアンテナ１２がグリップ側（図示左側）と反対側に設けられているので、アンテナ上部を手で覆ってしまう心配もない。
【００１１】
しかし、無線通信基板５を図示の位置に配置した場合、金属カバー１の右側面（Ｘ面）が接地面となり、この接地面よりもアンテナ１２を外方に突出させないと通信性能が悪化する。そこで本実施形態では、図示のように無線通信基板５を金属カバー１の右側面に対して傾斜して配置し、金属カバー１の開口ＯＰからアンテナ１２を外方に突出させた。これによれば、無線通信基板５をＸ面と平行に配置する場合と比べてアンテナ１２のＸ面からの突出量を多くすることができ、良好な通信性能を保つことができる。
【００１２】
金属カバー１の開口ＯＰは、樹脂製の不透明のカバー（以下、樹脂カバー）１４で覆われ、これによりアンテナ１２は視覚的に隠蔽される。樹脂は電波をよく通すので通信性能が悪化することはない。また、無線通信基板５とメイン基板４とを電気的に接続するコネクタ１３は、図示の如く従来デッドスペースであったレンズ鏡筒２と金属カバー１の下角部との間に位置するので、基板５を傾けてもスペース的に不利になることはない。
【００１３】
図３，図４は無線通信基板５を傾けずに配置した比較例を示している。この場合は、アンテナ１２をＸ面よりも突出させるために、金属カバー１の右側面に上下全域に渡って開口を形成し、ここを樹脂カバー１４で覆わねばならず、カメラ右側の強度不足に加えて品位の低下をもたらす。図２，図３の例では、金属カバー１の開口ＯＰは、実質的にアンテナ１２を突出させるのに足る大きさでよく、開口ＯＰを覆う樹脂カバー１４も小さくて済むので、強度および品位の低下を最小限に抑制できる。
【００１４】
なお、例えば無線通信基板を回路基板とアンテナ基板とに分け、両者を可撓性の配線部材で接続したり、無線通信基板全体を可撓性の基板（例えば、フレキシブルプリント基板）で構成すれば、基板を傾けずともアンテナをＸ面から突出させることができるが、これらの方法はいずれもコストアップとなる。本実施形態では、無線通信基板として１枚のリジッド基板を用いるだけでよいので、コスト的に有利である。
【００１５】
以上では、金属カバーの上角部にアンテナが位置する例を示したが、アンテナの位置はこれに限定されない。
【図面の簡単な説明】
【００１６】
【図１】本発明の一実施形態におけるカメラの正面断面図。
【図２】上記カメラの上面断面図。
【図３】無線通信基板を傾けずに配置した比較例を示すカメラの正面断面図。
【図４】図３のカメラの上面断面図。
【符号の説明】
【００１７】
１  金属カバー
１Ａ  前カバー
１Ｂ  後カバー
２  撮影レンズ鏡筒
４  メイン基板
５  無線通信基板
１２  アンテナ
１３  コネクタ
１４  樹脂カバー
【図１】
2007060237.tif 000003
【図２】
2007060237.tif 000004
【図３】
2007060237.tif 000005
【図４】
2007060237.tif 000006